(57)【要約】【課題】ユーザの意思によって、２画面表示の各画面の表示サイズを自由に、かつ簡単な操作で変更可能とする。【解決手段】２画面表示モード時、制御部１９は、モニタ２１の表示画面を横境界線と縦境界線とで十字状に分割して４分割画面を生成し、その４分割画面のうち少なくとも一つの対角方向に位置する２画面に各映像信号源の画像をそれぞれ表示する一方、リモコン２０の操作により交点部分が指示されてスライド移動されたときには、その交点部分のスライド移動に従って前記横境界線及び前記縦境界線を上下及び左右に移動させることによって、分割画面の表示サイズを変化させる。【選択図】図１
2008227679.tif 000002
【特許請求の範囲】
【請求項１】
２つの映像信号源の受信が可能であり、受信した２つの映像信号源の画像をモニタに同時に表示する２画面表示モードを有するテレビジョン放送信号受信装置において、
２画面の表示形態を制御する表示制御手段と、
各種操作信号を入力する入力手段とを備え、
２画面表示モード時、前記表示制御手段は、前記モニタの表示画面を横境界線と縦境界線とで十字状に分割して４分割画面を生成し、その４分割画面のうち一つの対角方向に位置する２画面に前記各映像信号源の画像をそれぞれ表示する一方、
前記入力手段は、前記横境界線と前記縦境界線との交点部分を指示する指示手段と、指示した交点部分を画面上で前記２画面の表示方向に沿った対角方向にスライド移動させる上下キーまたは左右キーからなる移動手段とをさらに備えており、
前記表示制御手段は、前記入力手段により前記交点部分が指示されて前記上下キーまたは左右キーによってスライド移動されたときには、その交点部分のスライド移動に従って前記横境界線及び前記縦境界線を上下及び左右に移動させることにより、前記分割画面の表示サイズを変化させることを特徴とするテレビジョン放送信号受信装置。
【請求項２】
複数の映像信号源の受信が可能であり、受信した複数の映像信号源の画像をモニタに同時に表示する複数画面表示モードを有するテレビジョン放送信号受信装置において、
複数画面の表示形態を制御する表示制御手段と、
各種操作信号を入力する入力手段とを備え、
複数画面表示モード時、前記表示制御手段は、前記モニタの表示画面を横境界線と縦境界線とで十字状に分割して４分割画面を生成し、その４分割画面のうち少なくとも一つの対角方向に位置する２画面に前記各映像信号源の画像をそれぞれ表示する一方、
前記入力手段は、前記横境界線と前記縦境界線との交点部分を指示する指示手段と、指示した交点部分を画面上でスライド移動させる移動手段とをさらに備えており、
前記表示制御手段は、前記入力手段により前記交点部分が指示されてスライド移動されたときには、その交点部分のスライド移動に従って前記横境界線及び前記縦境界線を上下及び左右に移動させることによって、前記分割画面の表示サイズを変化させることを特徴とするテレビジョン放送信号受信装置。
【請求項３】
前記複数画面表示モードが、前記４分割画面のうち一つの対角方向の２画面のみを表示する２画面表示モードであり、前記交点部分のスライド移動が前記２画面の表示方向に沿った対角方向にのみ可能に設けられていることを特徴とする請求項２に記載のテレビジョン放送信号受信装置。
【請求項４】
前記指示手段がリモコンの上下左右キーと決定キーとによって構成され、前記移動手段がリモコンの上下キーまたは左右キーによって構成されていることを特徴とする請求項２または請求項３に記載のテレビジョン放送信号受信装置。
【請求項５】
前記指示手段がリモコンに新たに設けられたサイズ変更キーによって構成され、前記移動手段がリモコンの上下キーまたは左右キーによって構成されていることを特徴とする請求項２または請求項３に記載のテレビジョン放送信号受信装置。
【請求項６】
前記表示制御手段は、前記入力手段により文字情報を表示する操作が行われたときには、前記交点部分を画面中央部に移動して均等な４分割画面に変更するとともに、画像が表示されていない他の画面に前記文字情報を表示することを特徴とする請求項２ないし請求項５のいずれかに記載のテレビジョン放送信号受信装置。
【請求項７】
前記文字情報が各種設定画面であることを特徴とする請求項６に記載のテレビジョン放送信号受信装置。
【発明の詳細な説明】
【技術分野】
【０００１】
本発明は、２つの映像信号源の受信が可能であり、受信した２つの映像信号源の画像をモニタに同時に表示するピクチャーアウトピクチャー（ＰｏｕｔＰ）機能を有するテレビジョン放送信号受信装置に係り、より詳細には、このような２画面表示の表示サイズを制御するテレビジョン放送信号受信装置に関する。
【背景技術】
【０００２】
従来から、一方の映像信号源の画像をメイン画面とし、他方の映像信号源の画像をサブ画面として個別に表示するピクチャーアウトピクチャー（ＰｏｕｔＰ）機能を有する映像信号処理装置が提供されている（例えば、特許文献１参照）。
【０００３】
この映像信号処理装置は、１６：９の画面アスペクトＨＤＴＶディスプレイに４：３画面アスペクトのＨＤＴＶ信号の画面とＶＧＡ信号の画面とを左右に配置して表示するようになっている。このように配置することで、アスペクト比を保ったままでの２画面表示を可能としている。
【特許文献１】特開２００３−３３３４５４号公報
【発明の開示】
【発明が解決しようとする課題】
【０００４】
しかし、上記従来の映像信号処理装置では、このように２画面表示された各画面の表示サイズをユーザが自由に設定変更できる構成とはなっていない。そのため、例えば左側の画面をもう少し大きく表示したい場合には、２画面表示を解消して左側だけの画面を表示する通常表示に戻すか、若しくは多少見にくくても現状のまま我慢して視聴するしかなかった。
【０００５】
通常表示に戻した場合には、サブ画面の内容がチェックできなくなるため、サブ画面側での視聴タイミングを逃してしまう可能性がある。例えば、サブ画面で野球を見ている場合には得点シーンを見逃してしまうとか、サッカーを見ている場合にはゴールシーンを見逃していまうといった可能性がある。また、現状のまま我慢して視聴する場合、その時点では不要である右側のサブ画面が、左側のメイン画面を集中して視聴するときの妨げになる可能性もある。
【０００６】
従って、このような場合には、２画面の表示サイズをユーザが自由に変更できれば便利であるが、現在のところ、そのようなテレビジョン放送信号受信装置は提供されていないのが実情である。
【０００７】
本発明はかかる実情に鑑みて創案されたもので、その目的は、ユーザの意思によって、２画面表示の各画面の表示サイズを自由に、かつ簡単な操作で変更することのできるテレビジョン放送信号受信装置を提供することにある。
【課題を解決するための手段】
【０００８】
上記課題を解決するため、本発明のテレビジョン放送信号受信装置は、複数の映像信号源の受信が可能であり、受信した複数の映像信号源の画像をモニタに同時に表示する複数画面表示モードを有するテレビジョン放送信号受信装置において、複数画面の表示形態を制御する表示制御手段と、各種操作信号を入力する入力手段とを備え、複数画面表示モード時、前記表示制御手段は、前記モニタの表示画面を横境界線と縦境界線とで十字状に分割して４分割画面を生成し、その４分割画面のうち少なくとも一つの対角方向に位置する２画面に前記各映像信号源の画像をそれぞれ表示する一方、前記入力手段は、前記横境界線と前記縦境界線との交点部分を指示する指示手段と、指示した交点部分を画面上でスライド移動させる移動手段とをさらに備えており、前記表示制御手段は、前記入力手段により前記交点部分が指示されてスライド移動されたときには、その交点部分のスライド移動に従って前記横境界線及び前記縦境界線を上下及び左右に移動させることによって、前記分割画面の表示サイズを変化させることを特徴としている。
【０００９】
すなわち、リモコン等の入力手段によって画面上の横境界線と縦境界線との交点部分をポインタ等で指示し、その状態で、ポインタを画面上でスライド移動させることにより、表示制御手段は、このスライド移動に従って横境界線を上下移動させるとともに、縦境界線を左右移動させて、各分割画面の表示サイズを変化させる。このとき、表示制御手段は、各画面に表示される画像を、その表示サイズに応じて拡大または縮小表示する。ここで、表示サイズの縮小は、そのサイズに応じて水平画素と垂直画素とを間引く処理を行うことによって実現することができる。このような間引き処理自体は従来周知の一般的な処理であるので、ここでは詳細な説明を省略する。
【００１０】
このように、各画面の表示サイズをユーザ操作によって自由に変更できるように構成することで、例えば、４分割画面のうち左下側に表示されているメイン画面をもう少し大きく表示したい場合には、交点部分を指示して右上方向にスライド移動させればよい。これにより、左下側の画面がスライド移動に伴って拡大表示され、右上側に表示されていたサブ画面がスライド移動に伴って縮小表示されることになる。従って、ユーザは、サブ画面を消去することなく、メイン画面をより視聴しやすい表示サイズまで拡大表示することが可能となる。
【００１１】
本発明では、この４分割画面の全てに画像を表示してもよい。この場合、スライド移動によって一つの対角方向の２画面はアスペクト比を保ってサイズ変更できるが、他の対角方向の２画面はアスペクト比を保ってはサイズ変更できないことになる。そのため、アスペクト比を考慮すると、前記複数画面表示モードを、４分割画面のうち一つの対角方向の２画面のみを表示する２画面表示モードとし、交点部分のスライド移動方向を、この２画面の表示方向に沿った対角線上の方向にのみ可能となるように構成するのがよい。これにより、画面サイズをどのように変更しても、両画面のアスペクト比は常に保たれることになる。
【００１２】
ここで、前記入力手段をリモコンとし、前記指示手段はこのリモコンの上下左右キーと決定キーとによって構成し、前記移動手段をリモコンの上下キーまたは左右キーによって構成してもよい。この構成によれば、リモコンに従来から設けられている既存のキーのみを使用して、指示手段と移動手段とを構成することができる。そして、２画面表示モードにおいて、ユーザが２画面の表示サイズを変更したい場合には、画面上に例えば矢印のようなポインタが表示されるので、このポインタを上下左右キーによって４分割画面の交点部分まで移動し、その状態で決定キーを押すことによって、交点部分を指示する。そして、この状態において、例えば上キーまたは右キーを押すと、ポインタが交点部分を指示した状態で画面右上方向に対角線上を移動し、例えは下キーまたは左キーを押すと、ポインタが交点部分を指示した状態で画面左下方向に対角線上を移動する。これにより、対角方向に表示されている２画面が、このポインタの移動に伴って拡大及び縮小されることになる。
【００１３】
また、前記入力手段をリモコンとした場合、前記指示手段をリモコンに新たに設けられたサイズ変更キーによって構成し、前記移動手段がリモコンの上下キーまたは左右キーによって構成してもよい。そして、２画面表示モードにおいて、ユーザが２画面の表示サイズを変更したい場合には、リモコンのサイズ変更キーを押すことによって、交点部分にポインタが表示されるので、この状態において、例えば上キーまたは右キーを押すと、ポインタが交点部分を指示した状態で画面右上方向に対角線上を移動し、例えは下キーまたは左キーを押すと、ポインタが交点部分を指示した状態で画面左下方向に対角線上を移動する。これにより、対角方向に表示されている２画面が、このポインタの移動に伴って拡大及び縮小されることになる。この構成では、リモコンにサイズ変更キーを新たに設ける必要があるが、このサイズ変更キーを設けることによって、交点部分をポインタで指示する操作が、このサイズ変更キーのみの操作で可能となる。つまり、上下左右キーと決定キーとを使って交点部分をポインタで指示する場合の操作手順を省くことができるため、ユーザにとってはより使い勝手のよいものとなる。
【００１４】
また、本発明のテレビジョン放送信号受信装置によれば、前記表示制御手段は、前記入力手段により文字情報を表示する操作（例えば、リモコンに設けられているメニューキーが押された場合等）が行われたときには、その時点で４分割画面がどのような表示サイズになっていても、交点部分を画面中央部に移動して均等な４分割画面に変更するとともに、画像が表示されていない他の画面にメニュー画面を表示するようにしてもよい。このメニュー画面から選択される各種設定画面としては、ボリュームの変更や色調の変更等の設定画面をはじめ、字幕の表示の有無や表示言語の変更等の各種設定画面が含まれる。このように、ＯＳＤ表示された設定画面を余白画面に表示することで、視聴している画像に重ならずに各種の設定が行えることになり、ユーザにとって使い勝手のよいものとなる。
【発明の効果】
【００１５】
本発明のテレビジョン放送信号受信装置によれば、複数画面表示モードにおいて、各画面の表示サイズをユーザ操作によって自由に変更できるように構成したので、ユーザは、簡単な操作で、視聴したい画面を所望する表示サイズまで自由に拡大することができる。この場合、例えば４分割画面のうち左下側に表示されているメイン画面をもう少し大きく表示したい場合には、交点部分を指示して右上方向にスライド移動させるだけの簡単な操作で、サブ画面を消去することなく、メイン画面をより視聴しやすい表示サイズまで拡大表示することが可能となる。
【００１６】
また、本発明のテレビジョン放送信号受信装置によれば、交点部分のスライド移動方向を、２画面の表示方向に沿った対角線上の方向にのみ可能となるように構成したので、画面サイズをどのように変更しても、両画面のアスペクト比を常に一定に保つことができ、ユーザにとっては見易い画面構成のままでの拡大、縮小が可能となる。
【００１７】
さらに、本発明のテレビジョン放送信号受信装置によれば、入力手段により文字情報を表示する操作が行われたとき、この文字情報を余白画面に表示するように構成したので、視聴している画像に重ならずに各種の文字情報の表示が行えるため、ユーザにとって使い勝手のよいものとなる。
【発明を実施するための最良の形態】
【００１８】
以下、本発明の実施の形態について図面１ないし図８を参照して説明する。
【００１９】
図１は、本発明の一実施形態に係るテレビジョン（ＴＶ）放送信号受信装置の機能ブロック図を示している。なお、本実施形態では、２つの映像信号源として、アナログＴＶ放送信号を受信可能なアナログチューナと、デジタルＴＶ放送信号を受信可能なデジタルチューナとを搭載した場合を例に挙げて説明するが、この２つのチューナが共にデジタルチューナであっても、またアナログチューナであってもよい。また、映像信号源も２つに限らず、３つまたは４つであってもよい。
【００２０】
図１に示すように、ＴＶ放送信号受信装置１は、放送局から配信されるデジタルＴＶ放送信号やアナログＴＶ放送信号をアンテナ１０を介して受信し、ＴＶ放送信号に含まれる映像信号及び音声信号をモニタ２１に出力する装置であり、複数のチューナ１１，１２と、ＡＴＳＣフロントエンド１３と、ＮＴＳＣデコーダ１４と、映像・音声処理部１５と、オンスクリーンディスプレイ部（ＯＳＤ）１６と、メモリ１７と、リモコン２０からのキー操作信号を受信する受信部１８と、装置全体の動作制御を司るＣＰＵ、ＲＯＭ、ＲＡＭ等からなる制御部１９とを備えている。
【００２１】
ＴＶ放送信号受信装置１には、放送局から所定周波数の高周波電波で発信されるＴＶ放送信号を受信するためのアンテナ１０と、ＴＶ番組の映像を映し出すと共に音声を出力するモニタ２１と、ＴＶ放送信号受信装置１との間で映像信号及び音声信号を入出力するためのハードディスクドライブ（ＨＤＤ）装置やＤＶＤ（Digital Versatile Disc）装置等の外部機器３とが接続されている。
【００２２】
チューナ１１，１２は、その受信周波数を、ユーザにより選局されたチャンネルに対応する周波数に同調させることにより、選局されたチャンネルのＴＶ放送信号をアンテナ１０を介して受信する。
【００２３】
ＡＴＳＣフロントエンド１３は、チューナ１２で受信したデジタルＴＶ放送信号の復調、誤り訂正処理を行い、多重化された信号の中から必要なＴＳ（Transport Stream）パケットを分離し、ＴＶ放送信号受信装置１内の各ブロックへ、それぞれ必要なＴＳパケットを供給する。
【００２４】
ＮＴＳＣデコーダ１４は、チューナ１１で受信したアナログＴＶ放送信号を復号化し、復号化した映像信号をデジタル信号に変換して映像・音声処理部１５に出力する。
【００２５】
映像・音声処理部１５は、ＡＴＳＣフロントエンド１３から入力される映像信号及び音声信号を含むＴＳパケットをデコードするＭＰＥＧ映像デコーダ及びＭＰＥＧ音声デコーダと、ＡＴＳＣフロントエンド１３及びＮＴＳＣデコーダ１４から入力される文字情報を含む信号をデコードして文字情報を抽出する文字情報デコーダと、ＭＰＥＧ映像デコーダによりデコードされた映像信号及びＮＴＳＣデコーダ１４から入力された映像信号を合成してメイン画面及びサブ画面を生成するとともに、ＭＰＥＧ映像デコーダによりデコードされた映像信号及びＮＴＳＣデコーダ１４から入力された映像信号を合成して２画面の分割画面を生成し、合成された画面に文字情報デコーダによりデコードされた文字情報を合成するＰｏｕｔＰ（ピクチャーアウトピクチャー）回路とを備えている。
【００２６】
映像・音声処理部１５で処理された映像信号は、オンスクリーンディスプレイ（ＯＳＤ）部１６を介してモニタ２１に出力され、モニタ画面に映像が表示される。また、映像・音声処理部１５で処理された音声信号はモニタ２１に出力され、不図示のスピーカから音声出力される。このように、映像・音声処理部１５は、映像出力手段、音声出力手段、及び文字情報出力手段として機能する。なお、映像・音声処理部１５には、チューナ１１，１２を介して受信した映像信号及び音声信号が入力される他、外部機器３から外部入力端子２３を介して映像信号及び音声信号が入力可能となっている。
【００２７】
オンスクリーンディスプレイ部１６は、映像・音声処理部１５から入力された映像信号に所定の表示画像を重畳させる。メモリ１７は、ＭＰＥＧデコードされた映像信号や、文字情報デコーダによりデコードされた文字情報を一時的に記憶する他、デコードされた映像信号に重畳させる表示画像を記憶する。制御部１９は、不図示のＲＯＭに記憶されているプログラムに従って各種処理を実行し、ＡＴＳＣフロントエンド１３やＮＴＳＣデコーダ１４等、ＴＶ放送信号受信装置１全体を制御する。
【００２８】
次に、複数チャンネルのＴＶ放送信号を受信してＰｏｕｔＰ表示する場合（すなわち、２画面表示モード時）のＴＶ放送信号受信装置１の処理について、デジタルＴＶ放送信号及びアナログＴＶ放送信号を受信した場合を例に説明する。
【００２９】
チューナ１１は所定チャンネルのアナログＴＶ放送信号を受信し、受信したアナログＴＶ放送信号をＮＴＳＣデコーダ１４に出力する。ＮＴＳＣデコーダ１４に入力されたアナログＴＶ放送信号は復号化され、デジタル信号に変換された映像信号が映像・音声処理部１５に入力される。一方、チューナ１２は所定チャンネルのデジタルＴＶ放送信号を受信し、受信したデジタルＴＶ放送信号をＡＴＳＣフロントエンド１３に出力する。ＡＴＳＣフロントエンド１３に入力されたデジタルＴＶ放送信号は、ＴＳパケットとして抽出され、映像・音声処理部１５等に入力される。映像・音声処理部１５に入力された映像信号及び音声信号を含むＴＳパケットは、ＭＰＥＧ映像デコーダ及びＭＰＥＧ音声デコーダでＭＰＥＧデコードされる。また、アナログＴＶ放送信号及びデジタルＴＶ放送信号に含まれる文字情報は、文字情報デコーダによりデコードされ、文字情報が抽出される。
【００３０】
映像・音声処理部１５は、ＮＴＳＣデコーダ１４でデジタル信号に変換された映像信号、ＭＰＥＧ映像デコーダでＭＰＥＧデコードされた映像信号、及び文字情報デコーダでデコードされた文字情報を合成してモニタ２１に出力するための映像を生成する。
【００３１】
図２は、このようにして生成された各映像信号の画像を２画面表示する場合の表示画面例を示している。すなわち、本実施形態では、２画面表示モード時、モニタ２１の表示画面を横境界線Ｌ１と縦境界線Ｌ２とで十字状に分割して４分割画面を生成し、その４分割画面のうち一つの対角方向に位置する２画面（この例では、左下の画面４１と右上の画面４２の２画面）に各映像信号の画像Ａ，Ｂをそれぞれ表示している。なお、このときの各画面４１，４２の表示サイズはデフォルトで設定されている表示サイズとし、画面４１がメイン画面（大画面）、画面４２がサブ画面（小画面）となるように設定されているものとする。また、左上の画面４３と右下の画面４４は余白画面（例えば、黒画面や青画面等）となっている。
【００３２】
図３は、リモコン２０のキー配置の構造の一例を示す説明図である。すなわち、リモコン２０には、電源キー１１１、テンキー１１２、メニューキー１１３、サイズ変更キー１１４、上下左右キー１１５、決定キー１１６、及びその他の各種機能キー１１７が設けられている。
【００３３】
上記構成のＴＶ放送信号受信装置１において、制御部１９は、ＰｏｕｔＰによる２画面表示モード時、リモコン２０からの表示サイズの変更指示に従って各画面の表示サイズを変更する（変化させる）制御を行うようになっている。以下、この表示サイズの変更制御について、具体的に実施例を挙げて説明する。
【実施例１】
【００３４】
本実施例１は、リモコン２０のサイズ変更キー１１４を使用しないで表示サイズを変更制御する実施例である。すなわち、リモコン２０に最初から設けられているキーのみで表示サイズの変更制御を実施するものである。従って、本実施例１ではサイズ変更キー１１４は不要であるが、本実施例１では、図３に示すリモコン２０の構成を用いて説明を行うものとする。以下、図３に示すリモコン２０の各キー、図４に示すフローチャート、及び図５に示すモニタ画面の表示例を参照して本実施例１の表示サイズ変更制御処理を説明する。
【００３５】
２画面表示モード時、図５（ａ）に示すように、メイン画面４１に画像Ａ、サブ画面４２に画像Ｂが表示されており、不図示のスピーカからはメイン画面４１に表示されている画像Ａの音声が出力され、サブ画面４２に表示されている画像Ｂの音声はミュートされている。またこのとき、モニタ画面の例えば余白部分にポインタＰ（この例では矢印の形状をしているが、どのような形状でもよい。）が予め表示されているものとする。
【００３６】
この状態から２画面の表示サイズを変更したい場合、ユーザは、リモコン２０の上下左右キー１１５を操作して、ポインタＰを４分割画面の交点Ｃ部分に移動する。すなわち、制御部１９は、２画面表示モードにおいて、上下左右キー１１５が操作されたか否かを常に確認（すなわち、キー操作信号の受信の有無を確認）している（ステップＳ１）。そして、上下左右キー１１５の任意のキーが操作された場合（ステップＳ１でＹｅｓと判断された場合）には、そのキー操作に従って（すなわちキー操作信号に基づいて）、ポインタＰを移動する（ステップＳ２）。
【００３７】
例えば、図５（ａ）に示す状態であった場合、上キー１１５ａが押されると、ポインタＰを上に移動し、左キー１１５ｄが押されると、ポインタＰを左に移動する。この移動は、キーを押している間、ポインタＰが一定距離だけ順次連続移動するように構成してもよいし、キーを１回押す度に一定の距離だけ移動するように構成してもよい。このような操作によって、図５（ｂ）に示すように、ポインタＰを交点Ｃ部分まで移動する。
【００３８】
そして、ポインタＰを交点Ｃ部分まで移動すると、次にユーザは、リモコン２０の決定キー１１６を操作する。すなわち、制御部１９は、決定キー１１６が操作されたことを確認（キー操作信号を受信）すると（ステップＳ３でＹｅｓと判断されると）、そのときのポインタＰの位置が交点Ｃ部分を指している位置であるか否かを判断し（ステップＳ４）、ポインタＰの位置が交点Ｃ部分を指している場合（ステップＳ４でＹｅｓと判断された場合）には、その交点Ｃを移動の中点として指示する（ステップＳ５）。一方、決定キー１１６が操作されたときのポインタＰの位置が交点Ｃ部分でなかった場合には、誤った操作であると判断してその操作を無視し、ステップＳ１に戻る。なお、交点Ｃ部分はある一定の範囲を有しており、ポインタＰの先端がこの範囲に入ったとき、ポインタＰが交点Ｃ部分を指していると判断する。
【００３９】
このようにしてポインタＰにより交点Ｃが指示されると、次にユーザは、上キー１１５ａまたは下キー１１５ｃの操作によって、ポインタＰを移動させる。すなわち、制御部１９は、上キー１１５ａまたは下キー１１５ｃの操作を確認し（ステップＳ６）、上キー１１５ａが押された場合（ステップＳ６でＹｅｓと判断された場合）には、交点Ｃ部分を指示した状態で、ポインタＰを画面右上方向に対角線上を移動させる（ステップＳ７）。この移動も、キーを押している間、ポインタＰが一定距離だけ順次連続移動するように構成してもよいし、キーを１回押す度に一定の距離だけ移動するように構成してもよい。これにより、ポインタＰの移動（Ｐ→Ｐ′）に追随して交点Ｃが移動（Ｃ→Ｃ′）し、この交点Ｃの移動に追随して、横境界線Ｌ１が上方に移動し、縦境界線Ｌ２が右方に移動する。その結果、図５（ｃ）に示すように、アスペクト比を保った状態で画面４１の画像Ａが拡大され、画面４２の画像Ｂが縮小されることになる。
【００４０】
一方、下キー１１５ｃが押された場合（ステップＳ６でＹｅｓと判断された場合）には、交点Ｃ部分を指示した状態で、ポインタＰを画面左下方向に対角線上を移動させる（ステップＳ７）。この移動は、キーを押している間、ポインタＰが一定距離だけ順次連続移動するように構成してもよいし、キーを１回押す度に一定の距離だけ移動するように構成してもよい。これにより、ポインタＰの移動（Ｐ→Ｐ″）に追随して交点Ｃが移動（Ｃ→Ｃ″）し、この交点Ｃの移動に追随して、横境界線Ｌ１が下方に移動し、縦境界線Ｌ２が左方に移動する。その結果、図５（ｄ）に示すように、アスペクト比を保った状態で画面４１の画像Ａが縮小され、画面４２の画像Ｂが拡大されることになる。なお、表示サイズの縮小は、そのサイズに応じて水平画素と垂直画素とを間引く処理を行うことによって実現することができる。このような間引き処理自体は従来周知の一般的な処理であるので、ここでは詳細な説明を省略する。
【００４１】
この後、例えば図５（ｃ）に示す状態で表示サイズを決定したい場合には、ユーザは、その状態で決定キー１１６を操作する。制御部１９は、この決定キー１１６が操作されたことを確認すると（ステップＳ８でＹｅｓと判断されると）、画面表示サイズを確定し（ステップＳ９）、ポインタＰを交点Ｃ部分から外して画面右下隅に移動（図５（ａ）に示す状態）させる。
【００４２】
なお、上記実施例１では、ポインタＰを画面右上方向に対角線上を移動させるキーとして上キー１１５ａを例示しているが、これは右キー１１５ｂであってもよい。ユーザにとっては、上キー１１５ａであっても、右キー１１５ｂであっても、ポインタＰの移動方向とキーの指す方向とがイメージ的に一致するので、どちらのキーを用いてもユーザが操作に迷うことはない。同様に、ポインタＰを画面左下方向に対角線上を移動させるキーとして下キー１１５ｃを例示しているが、これは左キー１１５ｄであってもよい。ユーザにとっては、下キー１１５ｃであっても、左キー１１５ｄであっても、ポインタＰの移動方向とキーの指す方向とがイメージ的に一致するので、どちらのキーを用いてもユーザが操作に迷うことはない。このことは、次の実施例２においても同様である。
【００４３】
このように、各画面の表示サイズをユーザ操作によって自由に変更できるように構成することで、ユーザは、サブ画面４２を消去することなく、メイン画面４１をより視聴しやすい表示サイズまで拡大表示することが可能となる。
【実施例２】
【００４４】
本実施例２は、リモコン２０のサイズ変更キー１１４を使用して表示サイズを変更制御する実施例である。以下、図３に示すリモコン２０の各キー、図６に示すフローチャート、及び図５に示すモニタ画面の表示例を参照して本実施例２の表示サイズ変更制御処理を説明する。
【００４５】
２画面表示モード時、図５（ａ）に示すように、メイン画面４１に画像Ａ、サブ画面４２に画像Ｂが表示されており、不図示のスピーカからはメイン画面４１に表示されている画像Ａの音声が出力され、サブ画面４２に表示されている画像Ｂの音声はミュートされている。ただし、本実施例２では、このときにポインタＰは画面に表示されていない。
【００４６】
この状態から２画面の表示サイズを変更したい場合、ユーザは、リモコン２０のサイズ変更キー１１４を操作する。制御部１９は、２画面表示モードにおいて、サイズ変更キー１１４が操作されたか否かを常に確認（すなわち、キー操作信号の受信の有無を確認）している（ステップＳ１１）。そして、サイズ変更キー１１４が操作された場合（ステップＳ１１でＹｅｓと判断された場合）には、制御部１９は、ポインタＰを交点Ｃ部分に表示し、交点Ｃを移動の中点として指示する（ステップＳ１２）。
【００４７】
このようにしてポインタＰにより交点Ｃが指示されると、次にユーザは、上キー１１５ａまたは下キー１１５ｃの操作によって、ポインタＰを移動させる。すなわち、制御部１９は、上キー１１５ａまたは下キー１１５ｃの操作を確認し（ステップＳ１３）、上キー１１５ａが押された場合（ステップＳ１３でＹｅｓと判断された場合）には、交点Ｃ部分を指示した状態で、ポインタＰを画面右上方向に対角線上を移動させる（ステップＳ１４）。この移動も、キーを押している間、ポインタＰが一定距離だけ順次連続移動するように構成してもよいし、キーを１回押す度に一定の距離だけ移動するように構成してもよい。これにより、ポインタＰの移動に追随して交点Ｃが移動し、この交点Ｃの移動に追随して、横境界線Ｌ１が上方に移動し、縦境界線Ｌ２が右方に移動する。その結果、図５（ｃ）に示すように、アスペクト比を保った状態で画面４１の画像Ａが拡大され、画面４２の画像Ｂが縮小されることになる。
【００４８】
一方、下キー１１５ｃが押された場合（ステップＳ１３でＹｅｓと判断された場合）には、交点Ｃ部分を指示した状態で、ポインタＰを画面左下方向に対角線上を移動させる（ステップＳ１４）。この移動も、キーを押している間、ポインタＰが一定距離だけ順次連続移動するように構成してもよいし、キーを１回押す度に一定の距離だけ移動するように構成してもよい。これにより、ポインタＰの移動に追随して交点Ｃが移動し、この交点Ｃの移動に追随して、横境界線Ｌ１が下方に移動し、縦境界線Ｌ２が左方に移動する。その結果、図５（ｄ）に示すように、アスペクト比を保った状態で画面４１の画像Ａが縮小され、画面４２の画像Ｂが拡大されることになる。
【００４９】
この後、例えば図５（ｃ）に示す状態で表示サイズを決定したい場合には、ユーザは、その状態で決定キー１１６を操作する。制御部１９は、この決定キー１１６が操作されたことを確認すると（ステップＳ１５でＹｅｓと判断されると）、画面表示サイズを確定し（ステップＳ１６）、ポインタＰを画面上から消去する。
【００５０】
このように、各画面の表示サイズをユーザ操作によって自由に変更できるように構成することで、ユーザは、サブ画面４２を消去することなく、メイン画面４１をより視聴しやすい表示サイズまで拡大することが可能となる。
【００５１】
なお、上記実施例１，２では、２画面表示を例に挙げて説明しているが、例えば余白部分である画面４３や画面４４にもそれぞれ画像を表示して、３画面表示モードや４画面表示モードとしてもよい。この場合、図５からも分かるように、画面４３や画面４４は、画面４１，４２の表示サイズを変更することで、アスペクト比も変わることになるため、場合によっては非常に見づらい画面となる可能性はあるが、画像を表示すること自体は画素の間引き処理を行うことで可能である。
【実施例３】
【００５２】
本実施例３は、余白画面に文字情報である各種設定画面を併せて表示する実施例である。以下、図７に示すフローチャート及び図８に示す表示画面例を参照して説明する。
【００５３】
２画面表示モード時、例えば図８（ａ）に示すように、拡大したメイン画面４１に画像Ａ、縮小したサブ画面４２に画像Ｂが表示されており、不図示のスピーカからはメイン画面４１に表示されている画像Ａの音声が出力され、サブ画面４２に表示されている画像Ｂの音声はミュートされているものとする。
【００５４】
この状態から各種設定画面を表示したい場合には、ユーザは、リモコン２０のメニューキー１１３を操作する。制御部１９は、２画面表示モードにおいて、メニューキー１１３が操作されたか否かを常に確認している（ステップＳ２１）。そして、メニューキー１１３が操作された場合（ステップＳ２１でＹｅｓと判断された場合）には、交点Ｃ部分を画面中央部に移動し、この交点Ｃの移動に追随させて、横境界線Ｌ１を画面中央部まで上または下方向に移動し、縦境界線Ｌ２を画面中央部まで左または右方向に移動させる（ステップＳ２２）。この移動は、瞬時に行われる。すなわち、制御部１９は、メニューキー１１３が押された時点で４分割画面がどのような表示サイズになっていても、交点Ｃ部分を画面中央部に強制的に移動するようになっている。その結果、図８（ｂ）に示すように、モニタ画面が均等に４分割されることになる。
【００５５】
ここで、制御部１９は、予め設定された一方の余白画面（例えば、画面４４）にメニュー画面を表示する（ステップＳ２３）。そして、以後のリモコン操作を、メニュー画面優先の操作として受け付ける（ステップＳ２４）。メニュー画面に表示される各種設定項目としては、ボリュームの変更や色調の変更等の各種設定項目をはじめ、字幕の表示の有無や表示言語の変更等の設定項目などが含まれる。そして、これらの項目の中から設定したい項目を選択することで、画面４４にはその設定画面がＯＳＤ表示されることになる。これにより、ユーザは、視聴している画像（例えば、メイン画面４１の画像Ａ）に重ならずに、各種の設定が行えることになる。
【００５６】
なお、上記実施例３では、メニューキー１１３を操作した時点で、交点Ｃ部分を画面中央部に強制的に移動させるように構成しているが、交点Ｃ部分はそのままの状態とし、その時点で形成されている表示サイズの余白画面（例えば、図８（ａ）に示す横長の画面４３）にメニュー画面を表示するように構成してもよい。この場合、メニュー画面の表示形態は、通常の画面比とは異なるため、横長の画面４３に合うように各項目の配置を演算処理する必要がある。
【図面の簡単な説明】
【００５７】
【図１】本発明のテレビジョン放送信号受信装置の電気的構成を示す機能ブロック図である。
【図２】２画面表示モード時の表示画面例を示す説明図である。
【図３】リモコンのキー配置の構成例を示す説明図である。
【図４】実施例１の表示サイズ変更制御処理を説明するためのフローチャートである。
【図５】実施例１の表示サイズ変更制御処理に対応した表示画面例を示す説明図である。
【図６】実施例２の表示サイズ変更制御処理を説明するためのフローチャートである。
【図７】実施例３の処理を説明するためのフローチャートである。
【図８】実施例３の処理に対応した表示画面例を示す説明図である。
【符号の説明】
【００５８】
１  テレビジョン放送信号受信装置（ＴＶ放送信号受信装置）
３  外部機器
１１，１２  チューナ
１３  ＡＴＳＣフロントエンド
１４  ＮＴＳＣレコーダ
１５  映像・音声処理部
１６  ＯＳＤ部
１７  メモリ
１８  受信部
１９  制御部
２０  リモコン
２１  モニタ
２３  外部入力端子
【図１】
2008227679.tif 000003
【図２】
2008227679.tif 000004
【図３】
2008227679.tif 000005
【図４】
2008227679.tif 000006
【図５】
2008227679.tif 000007
【図６】
2008227679.tif 000008
【図７】
2008227679.tif 000009
【図８】
2008227679.tif 000010